(57)【要約】      （修正有）【課題】親バーナ炎孔と子バーナ炎孔との間の火移り性能を確保しつつ、親バーナキャップの変形や亀裂の発生を防止する親子バーナを提供する。【解決手段】親バーナキャップ１の下面に、前記径方向におけるスリット炎孔１０の中間部に補強リブ１１が架設されると共に、前記径方向における補強リブの少なくとも片側に凹部１２がスリット炎孔に沿って形成されており、凹部は、親バーナ内の混合気が補強リブの上方のスリット炎孔に向かって流れるように傾斜させて設けられる。【選択図】図４
2018080873.tif 000002
【特許請求の範囲】
【請求項１】
子バーナと、前記子バーナの周囲を囲むように配設される環状の親バーナキャップを有する親バーナとからなり、
前記子バーナには周方向に複数の子バーナ炎孔が備えられ、前記親バーナの親バーナキャップの外周縁には周方向に複数の親バーナ炎孔が備えられ、
前記親バーナキャップの径方向に沿って、火移りのためのスリット炎孔が、貫通形成されている親子バーナにおいて、
前記親バーナキャップの下面には、前記径方向における前記スリット炎孔の中間部に補強リブが架設されていると共に、前記径方向における前記補強リブの少なくとも片側に凹部が前記スリット炎孔に沿って形成されており、
前記凹部は、親バーナ内の混合気が前記補強リブの上方のスリット炎孔に向かって流れるように傾斜して設けられている親子バーナ。
【請求項２】
請求項１に記載の親子バーナにおいて、前記補強リブは、前記スリット炎孔に架設されるリブ本体と、前記親バーナキャップの周方向における前記リブ本体の両端部から前記親バーナキャップの径方向の両側へ延設される一対の延設部とを有し、
前記凹部は、前記リブ本体と前記延設部とで囲まれた範囲内に形成されている親子バーナ。
【請求項３】
請求項１又は２に記載の親子バーナにおいて、前記親バーナキャップの径方向に沿った前記補強リブの縦断面形状は、下辺が上辺よりも長い略台形状に設定される親子バーナ。
【請求項４】
請求項１から請求項３のいずれかに記載の親子バーナにおいて、親バーナキャップの上面には、前記径方向に沿って隆起部が形成されており、前記スリット炎孔は、前記隆起部の略中心を通り頂面に開放するように形成されている親子バーナ。
【発明の詳細な説明】
【技術分野】
【０００１】
本発明は、主としてガスコンロで使用する親子バーナに関する。
【背景技術】
【０００２】
一般に、親子バーナは、中央の子バーナの周囲に環状の親バーナが配設されているもので、子バーナは、筒状の子バーナボディと、子バーナボディ上に載置され且つ前記子バーナボディとの間に混合気室を画成する子バーナキャップと、子バーナキャップと子バーナボディの周方向に形成される複数の子バーナ炎孔とを有し、親バーナは、子バーナボディを囲う環状の親バーナボディと、親バーナボディ上に載置されて、親バーナボディとの間に混合気室を画成する環状の親バーナキャップと、親バーナキャップの外周縁と親バーナボディとの間の周囲に形成される複数の親バーナ炎孔とを有する構成である。
【０００３】
このような親子バーナでは、一般に、子バーナ炎孔又は親バーナ炎孔のどちらか一方の炎孔に、点火プラグで点火させ、その火炎を、他方の炎孔に火移りさせるようにして、親バーナと子バーナの両方を点火させている。親バーナから子バーナへ、または、子バーナから親バーナへ円滑な火移りを実現させるために、親バーナキャップには、径方向に、火移りのためスリット炎孔が開設されている。
【先行技術文献】
【特許文献】
【０００４】
【特許文献１】特開２００５−１６４０５８号公報
【特許文献２】特開２０１２−２５１７６０号公報
【発明の概要】
【発明が解決しようとする課題】
【０００５】
しかしながら、点火時に親バーナキャップの上面は下面よりも熱せられて高温になるため、親バーナキャップの上下面で熱膨張度合いに差が生じたり、熱せられて高温となった親バーナキャップに煮こぼれが大量にかかる等して急冷されるとヒートショックが生じたりする。その結果、親バーナキャップに、スリット炎孔の上方開放部側を広げる方向の応力が作用したり、スリット炎孔を狭窄する方向の応力が作用したりして、親バーナキャップが変形すると、親バーナ炎孔から均一な炎が形成され難くなったり、スリット炎孔で火炎が形成されなくなるといった不都合がある。さらに、長期にわたって上記応力が繰り返し作用することにより親バーナキャップに亀裂が入ってしまうこともある。
【０００６】
本発明は、以上の点に鑑み、良好な火移り性能を確保しつつ、親バーナキャップの上下面の熱膨張度合いの差やヒートショックによって、スリット炎孔が開く方向又は狭窄される方向に応力が作用した場合でも、親バーナキャップが変形したり、亀裂が入ったりするのを防止できる親子バーナを提供することをその課題とする。
【課題を解決するための手段】
【０００７】
上記課題を解決するために、本発明は、子バーナと、前記子バーナの周囲を囲むように配設される環状の親バーナキャップを有する親バーナとからなり、
前記子バーナには周方向に複数の子バーナ炎孔が備えられ、前記親バーナの親バーナキャップの外周縁には周方向に複数の親バーナ炎孔が備えられ、
前記親バーナキャップの径方向に沿って、火移りのためのスリット炎孔が、貫通形成されている親子バーナにおいて、
前記親バーナキャップの下面には、前記径方向における前記スリット炎孔の中間部に補強リブが架設されていると共に、前記径方向における前記補強リブの少なくとも片側に凹部が前記スリット炎孔に沿って形成されており、
前記凹部は、親バーナ内の混合気が前記補強リブの上方のスリット炎孔に向かって流れるように傾斜して設けられていることを特徴とする。
【０００８】
上記技術的手段は次のように作用する。
例えば、親バーナから子バーナへ火移りさせるには、親バーナキャップの外周縁の親バーナ炎孔に形成される火炎は、親バーナ内からスリット炎孔を通って親バーナキャップの上面へ流出する、燃料ガスと一次空気との混合気に誘導されて、親バーナキャップの上面を、外周縁側から内周縁側へスリット炎孔に沿って火移り移動していき、子バーナ炎孔に火炎を形成することが出来る。
親バーナキャップの下面の、スリット炎孔の下方開放端縁における親バーナキャップの径方向中間部に、補強リブを架設させることにより、スリット炎孔の幅は一定に保持され、親バーナキャップに、熱膨張度合いの差やヒートショックによりスリット炎孔の幅が広がったり狭まったりする方向に応力が作用しても、親バーナキャップの変形や、亀裂の発生を防止することが出来る。
一方、親バーナキャップの下面に、スリット炎孔に架設させる補強リブを形成することにより、補強リブが形成されている領域ではスリット炎孔への混合気の流れが妨げられるが、親バーナキャップの下面における補強リブの、前記径方向の両側には、スリット炎孔に沿って凹部が設けられていると共に、前記凹部は、親バーナ内の混合気が補強リブの上方のスリット炎孔に向かって流れるように傾斜して設けられているから、前記スリット炎孔の前記中間部が補強リブで閉塞されていても、混合気は、スリット炎孔のうち、補強リブの形成域に集中して送られることとなるから、スリット炎孔による火移り性能を良好に維持することが出来る。
【０００９】
上記親子バーナにおいて、望ましくは、前記補強リブは、前記スリット炎孔に架設されるリブ本体と、前記親バーナキャップの周方向における前記リブ本体の両端部から前記親バーナキャップの径方向の両側へ延設される一対の延設部とを有し、
前記凹部は、前記リブ本体と前記延設部とで囲まれた範囲内に形成されている。
凹部は、リブ本体と延設部とで囲まれた範囲内に設ける態様となるから、凹部へ流れ込んでくる混合気は、延設部で堰き止められ、親バーナキャップの周方向へ拡散されない。よって、混合気は補強リブの上方のスリット炎孔に一層集められ易くなり、スリット炎孔に沿って火移りを一層スムーズに行うことが出来る。
また、補強リブを、リブ本体だけで構成せず、その両端に一対の延設部を形成することにより、スリット炎孔近傍に作用する応力を分散させることが出来る。これにより、スリット炎孔が形成されている部分の親バーナキャップの強度が増大し、親バーナキャップの変形や亀裂の発生を一層効果的に抑制することが出来る。
【００１０】
上記親子バーナにおいて、望ましくは、親バーナキャップの径方向に沿った前記補強リブの縦断面形状は、下辺が上辺よりも長い略台形状に設定される。
凹部の傾斜に従って補強リブの基端部に送られてきた混合気は、断面略台形状の補強リブの、親バーナキャップの径方向の両側の斜面に沿ってさらに上昇し、補強リブの上方のスリット炎孔で合流させることが出来る。混合気は補強リブの前記径方向の両側の斜面に沿って流れることにより、混合気の通気抵抗は減少することとなり、補強リブの上方のスリット炎孔へ、混合気を一層スムーズに送り込んで火移り性能を向上させることが出来る。
【００１１】
上記親子バーナにおいて、望ましくは、親バーナキャップの上面には、前記径方向に隆起部が形成され、前記スリット炎孔は、前記隆起部の略中心を通り頂面に開放するように形成される。
親バーナキャップの上面に隆起部が設けられていることにより、親バーナキャップのうち、応力により変形し易いスリット炎孔に沿った範囲は厚肉となる。これにより、親バーナキャップの変形や亀裂の発生を一層防止することが出来る。また、スリット炎孔に火移りした火炎は、両側の隆起部によって、風等の消火要因から保護されるから、火移り性能は一層良好となる。
【発明の効果】
【００１２】
本発明は、上記構成であるから次の特有の効果を有する。
親バーナキャップの下面にて、スリット炎孔の前記径方向の中間部に補強リブを架設させることにより、親バーナキャップの上下面に熱膨張度合いの差が生じたり、煮こぼれによって高温状態から急激に冷却されてヒートショックが生じたりして、スリット炎孔の幅を広げたり狭めたりする方向の応力が働いても、親バーナキャップが変形したり、亀裂を生じさせたりする不都合を防止することが出来、長期に渡って親バーナ炎孔やスリット炎孔に均一な火炎を形成することが出来る。
また、スリット炎孔の下方開放端の一部分は、補強リブによって閉塞される態様となるが、補強リブにおける、前記径方向の両側には、スリット炎孔に開放する凹部が設けられ、この凹部は、親バーナ内の混合気が補強リブの上方のスリット炎孔に向かって流れるように傾斜をもって形成されているから、前記混合気は、凹部の傾斜に沿って補強リブの上方のスリット炎孔へ流れていく。このように、親バーナ内の混合気が補強リブの上方のスリット炎孔に流れ込み易くなるから、補強リブによってスリット炎孔の開放部分が小さくなっても、良好な火移り性能を維持することが出来る。
【図面の簡単な説明】
【００１３】
【図１】本発明の第１番目の実施の形態に係る親子バーナの平面図である。
【図２】本発明の第１番目の実施の形態に係る親子バーナの分解斜視図である。
【図３】本発明の第１番目の実施の形態に係る親子バーナの縦断面図である。
【図４】本発明の第１番目の実施の形態に係る親子バーナの親バーナキャップの下面を示す斜視図である。
【図５】本発明の第２番目の実施の形態に係る親子バーナの親バーナキャップの下面を示す要部拡大斜視図である。
【図６】本発明の第３番目の実施の形態に係る親子バーナの親バーナキャップの要部拡大断面図である。
【発明を実施するための形態】
【００１４】
以下、本発明の実施形態を図面を参照して説明する。
図１は本発明の第１番目の実施形態の親子バーナの平面図であり、図２は、親バーナボディと親バーナキャップとを分離させた状態を示す分解斜視図である。
この実施の形態の親子バーナは、ガスコンロに設けられるものであり、子バーナ(2)と子バーナ(2)の周囲を囲うように配設される親バーナ(100)とで構成されている。親バーナ(100)には親バーナ混合管(19)が、子バーナ(2)には子バーナ混合管(29)が各々連通しており、各混合管(19)(29)の上流端に臨ませた各別のノズル（図示せず）から噴出される燃料ガスと燃料ガスの噴出に伴い吸引される一次空気との混合気が各混合管(19)(29)で生成される。
【００１５】
子バーナ混合管(29)の下流端には、図３に示すように、子バーナ混合管(29)の下流端に開放する筒状の子バーナボディ(21)が配設されており、子バーナボディ(21)の周壁には、周方向に、複数の子バーナ炎孔(20)が形成されている。子バーナ混合管(29)からの混合気は、子バーナボディ(21)内に画成される混合気室(26)を介して子バーナ炎孔(20)から噴出する。
【００１６】
子バーナボディ(21)の周囲を囲うように配設されている親バーナ(100)は、親バーナ混合管(19)の下流端に連通する環状の親バーナボディ(18)と、親バーナボディ(18)上に載置される親バーナキャップ(1)とを有し、親バーナボディ(18)の上方開放端に着座させる親バーナキャップ(1)の外周縁には、周方向の多数の親バーナ炎孔(17)が形成されている。親バーナ混合管(19)からの混合気が、親バーナボディ(18)と親バーナキャップ(1)との間に画成される混合気室(16)を介して、親バーナ炎孔(17)から噴出する構成となっている。
【００１７】
また、ガスコンロには、図２に示すように、親バーナ(100)の親バーナ炎孔(17)に臨む点火プラグ(3)と、子バーナ炎孔(20)に臨む火炎検知素子たる熱電対（図示せず）とが設けられている。そして、点火プラグ(3)により親バーナ(100)に点火させた後、親バーナ(100)から子バーナ(2)に火移りさせて、子バーナ(2)への火移りを熱電対で検出する。
【００１８】
子バーナ(2)と親バーナ(100)間を火移りさせるために、親バーナキャップ(1)の上面には、親バーナキャップ(1)の内周側近傍域に位置する丸孔状の火移り炎孔(15)と、火移り炎孔(15)に連通し且つ親バーナキャップ(1)の径方向に沿って親バーナキャップ(1)の外周縁の上部域に開放するスリット炎孔(10)とが形成されている。これら火移り炎孔(15)及びスリット炎孔(10)の下方は混合気室(16)に連通するように開設されている。
親バーナ炎孔(17)に形成された火炎は、スリット炎孔(10)に火移りしながら、火移り炎孔(15)から、子バーナ炎孔(20)に火移りする。また、子バーナ(2)のみを燃焼させた状態から親バーナ(100)も燃焼させる状態に切り換えるときは、子バーナ炎孔(20)から火移り炎孔(15)を介してスリット炎孔(10)に火移りしながら、スリット炎孔(10)から親バーナ炎孔(17)に火移りする。
【００１９】
尚、スリット炎孔(10)の形成域に沿った親バーナキャップ(1)の上面には、前記径方向の断面が略三角形状の隆起部(13)が突設されている。隆起部(13)のうち、親バーナキャップ(1)の内周縁寄りに位置する三角形の頂点に開放するように、火移り炎孔(15)が前記径方向内方に傾いた姿勢で形成されていると共に、スリット炎孔(10)は、火移り炎孔(15)から、親バーナキャップ(1)の外周縁に続く斜面の中心線に沿って開放するように形成されている。
【００２０】
図４に示すように、親バーナキャップ(1)の下面のスリット炎孔(10)の前記径方向の中間部には、略矩形状の補強リブ(11)がスリット炎孔(10)に架設されるように形成されている。補強リブ(11)は、好ましくは、前記径方向におけるスリット炎孔(10)の中央部に形成されるが、中央部よりも内周側または外周側の一方に偏った中間部に形成されてもよい。また、補強リブ(11)は、親バーナキャップ(1)の周方向において親バーナキャップ(1)の下面から頂面に向かってなだらかに隆起するように親バーナキャップ(1)と一体的に設けられている。さらに、補強リブ(11)の下方への突出高さは、親バーナキャップ(1)を親バーナボディ(18)上に載置させたとき、補強リブ(11)の下面と親バーナボディ(18)の上面との間に混合気が流れる隙間が形成されるように設定されている。
【００２１】
親バーナキャップ(1)の径方向における補強リブ(11)の両側で且つ親バーナキャップ(1)の周方向におけるスリット炎孔(10)の両側に沿った４か所には、それぞれ凹部(12)が形成されている。
各凹部(12)は、スリット炎孔(10)に沿った一辺と、補強リブ(11)の基端部に沿った一辺とを有する略三角形状に形成されている。また、図３に示すように、各凹部(12)は、前記径方向における補強リブ(11)の基端部に向かって、また前記周方向におけるスリット炎孔(10)に向かって深くなるように傾斜した面で形成されている。すなわち、各凹部(12)は、補強リブ(11)とスリット炎孔(10)との交差部に向かって深くなるように傾斜すると共に、スリット炎孔(10)に沿った前記一辺側がスリット炎孔(10)に開放している。
【００２２】
この第１番目の実施の形態の親子バーナでは、点火プラグ(3)により親バーナ(100)に点火されると、親バーナ混合管(19)から送られてくる燃料ガスと一次空気との混合気が、混合気室(16)を介して、親バーナ炎孔(17)に送られ、親バーナキャップ(1)の外周縁の親バーナ炎孔(17)に火炎が形成される。この火炎を、子バーナ混合管(29)から、子バーナボディ(21)内の混合気室(26)を介して子バーナ炎孔(20)から噴出させる混合気に、スリット炎孔(10)及び火移り炎孔(15)を介して火移りさせる。
【００２３】
スリット炎孔(10)の下方開放端の前記径方向の中間部には補強リブ(11)を架設させているため、スリット炎孔(10)の開放面積は補強リブ(11)の幅だけ小さくなる。しかしながら、補強リブ(11)の前記径方向の両側で且つスリット炎孔(10)の前記周方向の両側にはそれぞれスリット炎孔(10)に開放する凹部(12)が形成されており、各凹部(12)は、径方向にて補強リブ(11)の基端部に向かって、また周方向にてスリット炎孔(10)に向かって、深くなるように傾斜させた傾斜面で形成することにより、混合気室(16)内に送り込まれた混合気は、凹部(12)の傾斜面に導かれて、最も深くに位置する補強リブ(11)の基端部とスリット炎孔(12)との交差部へ流れ込み、補強リブ(11)の上方のスリット炎孔(10)へ流れ易くなる。
【００２４】
このように、補強リブ(11)の径方向の両側に、補強リブ(11)に向かって傾斜させた面を有する凹部(12)を形成しておくことにより、混合気は補強リブ(11)の基端部へ集められ易くなるから、補強リブ(11)の上方のスリット炎孔(10)へ積極的に混合気を送り込むことが出来る。よって、スリット炎孔(10)の前記径方向の中間部を閉塞するように補強リブ(11)が架設されていても、親バーナ(100)の親バーナ炎孔(17)に形成された火炎を、スリット炎孔(10)から火移り炎孔(15)を介して、子バーナ(2)の子バーナ炎孔(20)にスムーズに火移りさせることが出来る。
また、親バーナキャップ(1)の上面におけるスリット炎孔(10)の両側には隆起部(13)を形成させているから、スリット炎孔(10)に沿って流れる火炎は隆起部(13)によって保護されることとなり、確実に、火移り炎孔(15)へ火炎を火移りさせることが出来る。なお、火移り炎孔(15)は、上記したように、隆起部(13)の頂点に開放するように形成されているから、その開放端部は、子バーナ炎孔(20)に近く、子バーナ(2)に火移りさせ易い構成となっている。
【００２５】
また、親バーナキャップ(1)の下面にて、スリット炎孔(10)の前記径方向の中間部に、補強リブ(11)を一体的に架設させているから、親バーナキャップ(1)の強度を増加させることが出来る。その結果、親バーナキャップ(1)が加熱されることにより上下面の熱膨張度合いに差が生じたり、煮こぼれによって高温状態から急激に冷却されてヒートショックが生じたりして、スリット炎孔(10)の幅が広がったり狭まったりする方向の応力が働いても、スリット炎孔(10)を起点とした親バーナキャップ(1)の変形や亀裂の発生を防止出来、長期に渡って親バーナ炎孔(17)やスリット炎孔(10)に安定に均一な火炎を形成することが出来る。
【００２６】
図５に示すものは、第２番目の実施の形態の親バーナキャップ(1)の下面を示す部分拡大斜視図である。
この実施の形態の補強リブ(110)は、スリット炎孔(10)に架設させるリブ本体(11a)と、その周方向両端から、親バーナキャップ(1)の径方向の両側へ延設させた一対の延設部(11b)とから、略Ｈ字状に形成したものであり、スリット炎孔(10)の、親バーナキャップ(1)の周方向の両側で且つリブ本体(11a)と延設部(11b)で囲まれた範囲に、延設部(11b)の基端部に向かって深くなる凹部(12)が形成されている。
このものでは、凹部(12)に送り込まれた混合気は、リブ本体(11a)と延設部(11b)で堰き止められることにより、確実に、リブ本体(11a)の基端部からその上方のスリット炎孔(10)に送り込むことが出来る。
これによれば、混合気は、リブ本体(11a)の上方のスリット炎孔(10)へ、より集中させて送り込まれることとなるので、火移り性能を一層向上させることが出来る。
【００２７】
また、補強リブ(110)は、リブ本体(11a)と一対の延設部(11b)とから略Ｈ字状に形成してあるから、スリット炎孔(10)の形成域に作用する応力を分散させることが出来る。これにより、親バーナキャップ(1)の強度が増し、親バーナキャップ(1)の変形や亀裂の発生を一層効果的に抑制することが出来る。
【００２８】
図６に示すものは、第３番目の実施の形態の親バーナキャップ(1)を、スリット炎孔(10)の径方向に沿った面で切った要部拡大断面図である。
この実施の形態では、補強リブ(111)のうち、スリット炎孔(10)に架設している部分を、同図に示すように、下辺が上辺よりも長い略台形状に形成しているもので、上記各実施の形態と同様に、親バーナキャップ(1)の径方向における補強リブ(111)の基端部に向かって、また周方向におけるスリット炎孔(10)に向かって、深くなるように傾斜させて凹部(12)が形成されている。
このものでは、凹部(12)の傾斜に従って補強リブ(111)の基端部へ送られてきた混合気は、補強リブ(1)の断面略台形状の両側を構成している斜面に沿って上昇することとなるから、混合気の通気抵抗を減少させることが出来、一層スムーズに、補強リブ(1)上方のスリット炎孔(10)に混合気を送り込むことが出来るから、火移り性能を一層向上させることが出来る。
【００２９】
なお、上記実施の形態では、点火プラグ(3)により親バーナ(100)に点火して、親バーナ(100)から子バーナ(2)に火移りさせるようにしたが、子バーナ(2)に点火して子バーナ(2)から親バーナ(100)に火移りさせる場合にも、同様に本発明を適用出来る。
また、点火方式としては、点火プラグ(3)による点火方式以外のものも採用可能であり、例えば、パイロットバーナによるパイロット点火方式としてもよい。
また、上記実施の形態では、１つの補強リブ(11)が設けられているが、スリット炎孔(10)の長さに応じて複数、設けてもよい。
また、補強リブ(11)は、親バーナキャップ(1)の下面から、なだらかに下方へ隆起させて形成されることが好ましく、また、各凹部(12)の傾斜面も、補強リブ(11)の基端部に向かってなだらかに傾斜するように設定しておくことが好ましい。
【符号の説明】
【００３０】
(1) ・・・・・・・・・親バーナキャップ
(10)・・・・・・・・・スリット炎孔
(11)(110)(111)・・・・補強リブ
(12)・・・・・・・・・凹部
(17)・・・・・・・・・親バーナ炎孔
(100) ・・・・・・・・親バーナ
(2) ・・・・・・・・・子バーナ
(20)・・・・・・・・・子バーナ炎孔
【図１】
2018080873.tif 000003
【図２】
2018080873.tif 000004
【図３】
2018080873.tif 000005
【図４】
2018080873.tif 000006
【図５】
2018080873.tif 000007
【図６】
2018080873.tif 000008